(57)【特許請求の範囲】
【請求項１】
投入された貨幣を金種毎に振り分けて計数し、金種毎または混合金種の収納庫に収納し、上位制御部からの出金指示に基づいて金種および枚数を決定して前記収納庫から釣銭を出金する貨幣処理装置において、
前記収納庫とは別に金種毎に包装された包装硬貨を保管する予備金庫と、
釣銭用として必要な金種毎の貨幣の枚数の下限値を記憶するメモリ部と、
前記メモリ部に所定の下限値を指示するとともに、その内容を表示する操作・表示部と、
前記予備金庫内での前記包装硬貨の金種を判別し、判別した金種毎の収納枚数を計数する計数部と、
前記予備金庫を開放するための比較論理に基づいて、前記収納庫に収納された金種の硬貨のうち少なくとも一種の枚数が前記所定の下限値以下であるか判定する演算部と、
前記収納庫内の硬貨が金種毎に釣銭用として必要な下限値以下になった場合、前記演算部から当該硬貨の補充指示を受け付けて前記予備金庫を開放する制御部と、
を有することを特徴とする貨幣処理装置。
【請求項２】
前記計数部は、前記包装硬貨の金種毎の保管場所を判別することを特徴とする請求項１記載の貨幣処理装置。
【請求項３】
前記制御部は、前記計数部による前記包装硬貨の金種および保管場所の判別の結果、前記包装硬貨の金種と保管場所とが所定の対応関係にない場合、前記予備金庫を開放することを特徴とする請求項２記載の貨幣処理装置。
【請求項４】
前記計数部は、前記予備金庫が閉塞している場合に、前記包装硬貨の計数を行うことを特徴とする請求項３記載の貨幣処理装置。
【請求項５】
前記制御部は、前記計数部による前記包装硬貨の金種の判別の結果、前記包装硬貨の金種と保管場所とが所定の対応関係にない場合、当該対応関係が不一致である旨を前記上位制御部に通知することを特徴とする請求項２記載の貨幣処理装置。
【請求項６】
前記予備金庫は、前記包装硬貨を含む貨幣を保管しており、
前記制御部は、前記予備金庫に保管された貨幣を取り出す際に発生する回収開始指示、または、前記予備金庫に保管された貨幣の数を精算する際に発生する精算開始指示、を受け付けると、前記予備金庫を開放することを特徴とする請求項１記載の貨幣処理装置。
【発明の詳細な説明】
【技術分野】
【０００１】
本発明は、投入口に投入された貨幣を金種毎に鑑別して計数し、金種毎に収納すると共に、出金指示に基づいて金種および枚数を決定して出金する貨幣処理装置に関し、とくに、ＰＯＳ（Point Of Sales）レジスタ等に接続されて使用される貨幣処理装置に関する。
【背景技術】
【０００２】
スーパーマーケット等に設置されるＰＯＳレジスタには、預かり金の入金および釣銭の出金を行う貨幣処理装置が接続されている。貨幣処理装置には、一般に、硬貨を収納して管理する硬貨処理装置と紙幣を収納して管理する紙幣処理装置とから構成される。このような貨幣処理装置を用いると、投入された紙幣や硬貨（以下、貨幣という）を上記各専用の装置に収納すると共に、貨幣の金種を鑑別し、金種毎の在高を計数する等の管理を行うことができる。
【０００３】
また、貨幣処理装置は、上記各装置の他にキャッシュドロア（以下、単にドロアという）と呼ばれる予備金庫を備えている。ドロアは、例えば、売上金や上記各装置に収納しきれない貨幣等を一時的に保管するためのものである。
【０００４】
ここで、ドロアの開放は、通常、セキュリティ等の要件から、貨幣処理装置の上位に接続されたＰＯＳレジスタによる操作が必要となる。しかし、常にＰＯＳレジスタの操作を必要とすると、不意にドロアの開放が必要となった際にＰＯＳレジスタでの操作に手間取り、作業効率が低下するという問題がある。これに対し、硬貨処理装置や紙幣処理装置から貨幣を取り出してドロアに移す際、収納部の満杯や貨幣の汚損が原因で収納不可であれば、貨幣処理装置における開放指令のみでドロアを開放可能とする方法が知られている（例えば、特許文献１参照）。
【特許文献１】特開２００５−００４３４７号公報（段落番号［０００７］〜［００１８］、図３等）
【発明の開示】
【発明が解決しようとする課題】
【０００５】
ところで、貨幣処理装置では、上記の硬貨処理装置や紙幣処理装置において、金種毎に釣銭として必要な貨幣の収納枚数を管理している。そして、貨幣処理装置に収納されている釣銭用の貨幣の数量が減ってくると、ＰＯＳレジスタに貨幣の補充が必要である旨を通知する。更に、ＰＯＳレジスタの操作者は、この通知により補充の必要性を認識し、釣銭用の貨幣を貨幣処理装置に補充する。
【０００６】
通常、釣銭用の貨幣の保管場所は、店舗後方の会計室やサービスカウンタ等、ＰＯＳレジスタの設置位置とは別の場所であることが多い。このため、貨幣補充に際して、店舗内を大きく移動しなくてはならず、非常に手間が掛かる。これに対し、ドロアに釣銭用の貨幣を保管可能とすることが考えられる。このようにすると、貨幣処理装置に収納された釣銭の補充に際して、ドロア内に保管された貨幣を用いることができるため店舗内を移動する手間を省くことができる。この場合でも、ドロアの開放にはＰＯＳレジスタでの操作を考慮する必要がある。
【０００７】
これに対して、上記特許文献１に記載の方法では、硬貨処理装置等の余剰貨幣をドロアに収納する際に、貨幣処理装置における操作のみでドロアを開放可能としているが、釣銭補充の動作に際しては、依然として作業効率が低下する可能性がある。
【０００８】
本発明はこのような点に鑑みてなされたものであり、釣銭補充の際に利便性の高い貨幣処理装置を提供することを目的とする。
【課題を解決するための手段】
【０００９】
投入された貨幣を金種毎に振り分けて計数し、金種毎または混合金種の収納庫に収納し、上位制御部からの出金指示に基づいて金種および枚数を決定して前記収納庫から釣銭を出金する貨幣処理装置が提供される。この貨幣処理装置は、前記収納庫とは別に金種毎に包装された包装硬貨を保管する予備金庫と、釣銭用として必要な金種毎の貨幣の枚数の下限値を記憶するメモリ部と、前記メモリ部に所定の下限値を指示するとともに、その内容を表示する操作・表示部と、前記予備金庫内での前記包装硬貨の金種を判別し、判別した金種毎の収納枚数を計数する計数部と、前記予備金庫を開放するための比較論理に基づいて、前記収納庫に収納された金種の硬貨のうち少なくとも一種の枚数が前記所定の下限値以下であるか判定する演算部と、前記収納庫内の硬貨が金種毎に釣銭用として必要な下限値以下になった場合、前記演算部から当該硬貨の補充指示を受け付けて前記予備金庫を開放する制御部と、を有する。
【００１０】
このような貨幣処理装置によれば、予備金庫により、収納庫とは別に金種毎に包装された包装硬貨が保管される。そして、制御部により、収納庫に収納された金種のうち少なくとも一種の硬貨の数が所定の下限値以下であると判定され、かつ、当該硬貨の補充指示が受け付けられると、予備金庫が開放される。
【発明の効果】
【００１１】
上記貨幣処理装置によれば、釣銭補充の際、上位のＰＯＳレジスタの制御が不要となり、簡易な操作のみで自装置に保管された棒金から補充することができるため、利便性が向上し、迅速な釣銭補充動作が可能となる。また、レジ担当者は、不足棒金の補充や棒金の配置等の動作を的確に行うことができ、利便性が向上する。
【発明を実施するための最良の形態】
【００１２】
以下、図面を参照してこの発明の実施の形態について説明する。図１は、貨幣処理装置の外観を示す図であって、（ａ）は上面図、（ｂ）は正面図である。
（貨幣処理装置の構成）
この貨幣処理装置１０は、紙幣の収納庫を有する紙幣部１１と硬貨の収納庫を有する硬貨部１２および棒金収納庫２０を有し、不図示の上位制御部であるＰＯＳレジスタから情報を受け取る受取部１３と、必要な情報を記憶する不図示のメモリ（記憶媒体）を有している。また、上記収納庫の貨幣（紙幣および硬貨）の収納状況に関する情報を表示して所要のガイダンスを行う操作表示パネル１４を備え、紙幣部１１には紙幣投入口１５および紙幣出金口１６が設けられ、硬貨部１２には硬貨投入口１７および硬貨出金口１８が設けられている。回収庫１９は、各金種別収納庫から貨幣を回収するための回収庫である。棒金収納庫２０は、棒金硬貨（金種毎、かつ、複数枚毎に包装された包装硬貨）を保管するための予備金庫である。棒金収納庫２０は、棒金ストッカともいう。
【００１３】
受取部１３は、操作表示パネル１４に表示もしくは音声出力する情報をＰＯＳレジスタから受け取る。また、操作表示パネル１４に表示もしくは音声出力する情報を記憶するメモリは、貨幣処理装置１０内に無くてもよく、外部のＵＳＢメモリ等を用いて必要な情報を入力するようにしてもよい。
【００１４】
貨幣処理装置１０は、紙幣投入口１５および硬貨投入口１７から投入された紙幣あるいは硬貨を金種毎に鑑別して計数し、金種毎に設けられた収納庫もしくは混合金種の収納庫に収納し、ＰＯＳレジスタからの出金指示に基づいて金種および数を決定して、上記収納庫から釣銭を出金する釣銭機として機能する。そして、受取部１３では、上記出金指示金額と預かり金金額をＰＯＳレジスタから受け取り、ＰＯＳレジスタから預かり金の金額データが入力されると入金許可状態となって、紙幣投入口１５および硬貨投入口１７から投入された貨幣と預かり金の金額とが照合される。この時、例えば、入金照合を行う場合、操作表示パネル１４では、上記預かり金金額を表示し、預かり金金額の表示から貨幣の入金計数毎に減算表示することも可能である。
【００１５】
図２は、棒金収納庫を示す斜視図であって、（ａ）は、棒金収納庫の外観を示し、（ｂ）は棒金収納庫に格納された棒金ドロアを示している。
棒金収納庫２０は、貨幣処理装置１０の下部に設置されて、その筐体２０ａの形状は装置全体が高くならないよう、一段だけの薄い棒金ドロア２１を前面から引き出すように構成されている。棒金ドロア２１は、図２（ｂ）に示すように、複数の棒金収納スリット２２とバラ貨幣、バラ紙幣および商品券等の紙葉類を収納するバラ貨幣収納部２３を有している。棒金収納スリット２２には、特定金種の棒金硬貨Ｍをそれぞれ１本ずつ収納可能に構成されている。各棒金収納スリット２２内には、棒金硬貨Ｍの軸線が棒金ドロア２１の引き出し方向と一致する向きで水平に保持される。
【００１６】
棒金ドロア２１は、各棒金収納スリット２２内での棒金硬貨Ｍの有無および金種を検知する棒金識別センサ２４を有している。各棒金収納スリット２２の棒金識別センサ２４には、予め収納される金種の材質や直径等の情報が予め設定される。棒金識別センサ２４は、各棒金収納スリット２２に予め設定された棒金硬貨Ｍの金種が、該当の金種でない等を判定し、ＰＯＳレジスタに送信する。
【００１７】
そして、この棒金収納庫２０は、棒金識別センサ２４から上位制御部であるＰＯＳレジスタに必要なデータを送信すると共に、棒金ドロア２１を開閉制御する信号をＰＯＳレジスタから受け取るように構成されている。
【００１８】
更に、棒金収納庫２０は、操作表示パネル１４が操作されることで発生する棒金ドロア２１を開閉制御するための信号を受け取るように構成されている。このような開閉制御の信号の出力に際して、棒金識別センサ２４の判定結果を開閉可否の条件に課すことが可能である。
【００１９】
（操作表示パネルの構成）
図３は、貨幣処理装置に設けられた操作表示パネルの構成の具体例を示す図である。この操作表示パネル１４は、７セグメントで数値を表示するＬＥＤ表示器１４ａと、ＬＣＤ表示器１４ｂとを備えている。ＬＥＤ表示器１４ａは、９桁の数字表示部分が設けられていて、各桁で金種毎の貨幣が「満杯」、「適量」、「空」等と、その収納状況を表示する。ＬＣＤ表示器１４ｂは、その貨幣の収納状況に関するログ情報および他の必要な情報を文章で表示する。なお、ＬＣＤ表示器１４ｂが出力する情報は音声出力することも可能である。
【００２０】
また、収納庫の貨幣収納枚数と釣銭として必要な収納枚数の下限値や貨幣収納可能枚数とを比較し、貨幣収納枚数が貨幣収納可能枚数に到達した時点でその収納庫の金種のみ貨幣の受付を禁止し、その情報をＬＥＤ表示器１４ａで表示する。
【００２１】
操作表示パネル１４は、表示もしくは音声出力すべき情報が有ることを示すヘルプランプ（表示器）１４ｃを有している。また、ＬＥＤ表示器１４ａ、ＬＣＤ表示器１４ｂ、およびヘルプランプ（表示器）１４ｃの右側には、３行４列に１２個の操作ボタン群１４ｄが配置されている。
【００２２】
操作ボタン群１４ｄの最上部（第１列）には、それぞれ紙幣スイッチ、ヘルプスイッチ、在高スイッチとして、「７」、「８」、「９」の置数ボタンを兼ねる３つの機能スイッチが配置され、第２列には、それぞれ硬貨スイッチ、回収スイッチ、補充スイッチとして、「４」、「５」、「６」の置数ボタンを兼ねる３つの機能スイッチが配置され、第３列には、スクロールボタン、履歴スイッチ、設定スイッチとして、「１」、「２」、「３」の置数ボタンを兼ねる３つの機能スイッチが配置されている。また、最下部（第４列）のボタンは、「０」の置数ボタンを兼ねるスクロールボタン、取消復旧ボタンおよび実行ボタンである。
【００２３】
図４は、ＬＥＤ表示器の状態表示方法の具体例を示す図である。図４の状態表示リスト１４ｅには、収納庫に収納された貨幣の数量の状態が６通り示されている。以下にそれぞれの状態の表示方法を説明する。
【００２４】
（１）エンプティ、すなわち、該当の貨幣の数量が０の場合、７セグメントＬＥＤで表される数値のうち、“０”がＬＥＤ表示器１４ａに表示される。
（２）ニアエンプティ、すなわち、貨幣の数量がエンプティ状態に近く、補充が必要である場合、７セグメントＬＥＤのうち、最下部の横方向の１セグメントが点滅表示する。他のセグメントは、消灯する。
【００２５】
（３）適量（少）、すなわち、適量であるが、ニアエンプティに近い状態の場合、７セグメントＬＥＤのうち、最下部の１セグメントが点灯する。他のセグメントは、消灯する。
【００２６】
（４）適量（中）、すなわち、多くも少なくもないと判定される場合、７セグメントＬＥＤのうち最下部の１セグメントおよび中段の横方向の１セグメントが点灯する。他のセグメントは、消灯する。
【００２７】
（５）適量（多）、すなわち、適量であるが、ニアフル（フルは、満杯の状態）に近い場合、７セグメントＬＥＤのうち最下部および最上部のセグメントおよび中段の横方向の１セグメントが点灯する。他のセグメントは、消灯する。
【００２８】
（６）ニアフルまたはフル、すなわち、該当の貨幣が満杯に近い場合、７セグメントＬＥＤのうち最下部および最上部のセグメントおよび中段の横方向の１セグメントが点滅する。他のセグメントは、消灯する。
【００２９】
なお、上記（１）〜（６）におけるエンプティや適量の値の少、中および多の判定基準範囲等は、予め管理者によって、適切な範囲が設定される。
貨幣処理装置１０は、ＬＥＤ表示器１４ａに上記（１）〜（６）の状態を表示することで、操作者に紙幣部１１や硬貨部１２に収納されている貨幣の数量を通知する。また、貨幣処理装置１０は、受取部１３を介してＰＯＳレジスタに情報を送信して、ＰＯＳレジスタから操作者に上記状態を通知することもできる。上記の（１）および（２）の状態が釣銭として必要な貨幣が不足している場合に該当する。そして、貨幣処理装置１０の操作者は、上記の（１）や（２）の状態を、例えば、操作表示パネル１４やＰＯＳレジスタから確認し、紙幣部１１や硬貨部１２への該当の貨幣の補充動作を行う。
【００３０】
（貨幣処理装置の制御機構）
図５は、貨幣処理装置の制御機構を示すブロック図である。貨幣処理装置１０は、制御部１１０、操作・表示部１２０および上位通信部１３０を有する。
【００３１】
制御部１１０は、入出金計数処理部１１１、棒金収納庫制御部１１２、機構制御部１１３、メモリ部１１４、演算部１１５および論理部１１６を有する。
入出金計数処理部１１１は、機構制御部１１３を介してメモリ部１１４と接続されている。入出金計数処理部１１１は、紙幣投入口１５や硬貨投入口１７から投入された貨幣を金種毎に振り分けて計数して、それらを貨幣処理装置１０の金種毎に設けられた収納庫もしくは混合金種の収納庫に収納すると共に、紙幣出金口１６や硬貨出金口１８からの釣銭等の出金動作を制御している。また、入出金計数処理部１１１は、収納庫に収納された貨幣枚数情報を計数した結果である貨幣枚数情報を生成して、メモリ部１１４に格納する。
【００３２】
棒金収納庫制御部１１２は、機構制御部１１３を介してメモリ部１１４に接続されている。棒金収納庫制御部１１２は、演算部１１５による棒金ドロア２１の開放可否の判定に基づいて、棒金ドロア２１内の棒金硬貨Ｍの計数処理および棒金収納庫２０の棒金ドロア２１の開放制御を行う。
【００３３】
メモリ部１１４は、機構制御部１１３および演算部１１５と接続されている。メモリ部１１４は、釣銭用として必要な金種毎の貨幣の数の下限値を記憶する。この下限値の設定は、操作者が操作・表示部１２０を操作することで行われる。下限値は、適切な値が管理者によって予め決定される。また、メモリ部１１４は、収納庫の貨幣枚数情報を記憶する。更に、メモリ部１１４には、特定の動作（余剰金の回収動作等）の際には、操作・表示部１２０における操作のみで棒金ドロア２１を開放可能としてよいか否かの許可情報を上位のＰＯＳレジスタから上位通信部１３０を介して設定可能に構成されている。
【００３４】
演算部１１５には、棒金収納庫２０を開放するための比較論理を構成する論理部１１６が接続されている。論理部１１６には、例えば、「釣銭用として必要な下限値以下になった場合、開放可能とする」、「上位機からの許可があった場合、開放可能とする」等、棒金収納庫２０を開放するための比較論理が格納される。演算部１１５では、こうした論理部１１６の比較論理機能を用いて、メモリ部１１４に記憶されたデータを比較し、比較結果に基づいて棒金収納庫２０の開放可否を決定する。
【００３５】
操作・表示部１２０は、操作者が釣銭用収納枚数の設定操作を行うためのインタフェースを提供する。操作・表示部１２０には、各金種の硬貨に対して、釣銭として必要な収納数の下限値を指示する操作キーや指示された内容を表示する表示パネル等が設けられており、制御部１１０におけるメモリ部１１４との間でデータを授受するように構成されている。操作・表示部１２０は、図１における操作表示パネル１４に該当する。
【００３６】
上位通信部１３０は、制御部１１０と接続され、制御部１１０からの通信要求に基づいて上位制御部と通信を行う。上位通信部１３０は、図１に示す受取部１３におけるＰＯＳレジスタ等の上位制御部（図示せず）との通信機能を示している。
【００３７】
図６は、貨幣枚数管理テーブルの構造例を示す図である。貨幣枚数管理テーブル１１４ａは、メモリ部１１４に記憶される。貨幣枚数管理テーブル１１４ａには、Ｎｏ．を示す項目、区分を示す項目、金種を示す項目、枚数を示す項目、本数を示す項目、枚数下限値を示す項目およびフラグを示す項目が設けられている。各項目の横方向に並べられた情報同士が互いに関連付けられて、１つの金種についての情報を構成する。
【００３８】
Ｎｏ．を示す項目には、項目番号が設定される。区分を示す項目には、該当の貨幣がバラ硬貨、バラ紙幣および棒金のいずれであるかを示す情報が設定される。金種を示す項目には、貨幣の金種が設定される。枚数を示す項目には、対応する区分がバラ硬貨およびバラ紙幣である場合、収納庫に収納されている貨幣の数が設定される。また、枚数を示す項目には、対応する区分が棒金である場合、棒金収納庫２０に収納された棒金に含まれる硬貨の枚数が設定される。本数を示す項目には、対応する区分が棒金である場合、その枚数に対応する棒金の本数が設定される。なお、本数を示す項目は、対応する区分がバラ硬貨およびバラ紙幣である場合、設定無し（図６では、“−（ハイフン）”と表記）となる。枚数下限値を示す項目には、対応する区分がバラ硬貨である場合、該当の貨幣が釣銭として必要な下限値が設定される。なお、枚数下限値を示す項目には、対応する区分がバラ紙幣および棒金である場合、設定無しとなる。フラグを示す項目には、各区分の貨幣に対して、判別不可能である貨幣が存在するか否かを示すフラグが設定される。
【００３９】
貨幣枚数管理テーブル１１４ａには、例えば、Ｎｏ．“１”、区分が“バラ硬貨”、金種が“１円”、枚数が“１３０”枚、本数が設定無し、枚数下限値が“２０”、フラグが“確定”という情報が設定される。これは、１円のバラ硬貨が収納庫に１３０枚収納されており、釣銭用として必要な貨幣数の下限値が２０枚であることを示している。また、フラグに“確定”が設定されており、区分がバラ硬貨である貨幣に関して、貨幣詰まりや汚損等による数量未確定の貨幣が存在しないことを示している。
【００４０】
また、貨幣枚数管理テーブル１１４ａには、例えば、Ｎｏ．“１３”、区分が“棒金”、金種が“１０円”、枚数が“１５０”枚、本数が“３”本、枚数下限値が設定無し、フラグが“未確定”という情報が設定される。これは、１０円の棒金（１本で５０枚分）が棒金収納庫２０に１５０枚分、すなわち、棒金本数３本分が収納されていることを示している。また、フラグに“未確定”が設定されており、区分が棒金である貨幣に関して、金種が未確定の貨幣が存在することを示している。
【００４１】
なお、フラグを示す項目は、区分毎に設けるものとしたが、更に金種毎に細分化して設けるようにしてもよい。また、枚数下限値を示す項目に、金種毎の下限値枚数を設定するものとしたが、一律に同じ値を設定するようにしてもよい。また、枚数下限値は、図４におけるエンプティ枚数もしくはニアエンプティ枚数設定値と関連付けて設定をしてもよい。
【００４２】
次に、以上のような構成の貨幣処理装置１０における処理の詳細について説明する。
（金銭処理動作）
まず、貨幣処理装置１０の金銭処理動作について説明する。
【００４３】
商品コードのスキャン等によって、お客様の買い上げ品の登録が全て終了すると、ＰＯＳレジスタでは、その合計額が計算され、それがＰＯＳレジスタの表示部に表示される。通常、レジ担当者は、表示された合計額を読み上げ、お客様からは買い上げ品の合計額以上の貨幣が預かり金としてレジ担当者に渡される。
【００４４】
レジ担当者は、預かり金の金額を読み上げると共に、その金額をＰＯＳレジスタの入力部から入力する。ＰＯＳレジスタでは、預かり金の入力額から買い上げ品の合計額の差額が釣銭金額として計算され、貨幣処理装置１０に釣銭金額データとして通知される。
【００４５】
貨幣処理装置１０では、受け取った釣銭金額データに従って、その必要金種と枚数が計算され、対応する貨幣が出金される。レジ担当者は、ＰＯＳレジスタで発行されたレシート、および貨幣処理装置１０から出金された釣銭貨幣をお客様に渡す。その後、お客様が受け取った釣銭貨幣に納得してＰＯＳレジスタを離れた時点で、貨幣処理装置１０に預かり金を入金する。この時、貨幣処理装置１０の入出金計数処理部１１１では、入金された紙幣および硬貨の枚数を計数して、メモリ部１１４が記憶している収納庫の収納枚数データに加算すると共に、出金された紙幣および硬貨の枚数を収納枚数データから減算する。
【００４６】
以上が釣銭先払い出し方式によるＰＯＳレジスタでの貨幣の受け渡しに伴う貨幣処理装置１０の金銭処理動作である。こうした方式とは別に、貨幣処理装置１０に預かり金の紙幣および硬貨を投入して、その金額を計数させることによって、預かり金の機械計数額と買い上げ品の合計額との差額として釣銭金額を算出し、釣銭貨幣を出金する先入金計数方式を適用することもできる。
【００４７】
（釣銭補充動作）
次に、貨幣処理装置１０における、同装置内に不足した釣銭を補充する釣銭補充動作について説明する。
【００４８】
図７は、釣銭補充の際の処理の流れを示すフローチャートである。以下、図７に示す処理をステップ番号に沿って説明する。
［ステップＳ１１］レジ担当者は、操作・表示部１２０における補充開始操作を行う。レジ担当者は、例えば、貨幣処理装置１０の操作表示パネル１４の操作ボタン群１４ｄにおける置数ボタン「６」に対応する補充ボタンを押下することで上記補充開始操作を行う。演算部１１５は、この補充開始操作を受け付ける。
【００４９】
［ステップＳ１２］演算部１１５は、メモリ部１１４の貨幣枚数管理テーブル１１４ａおよび論理部１１６に格納された比較論理に基づいて、下限値以下となっている硬貨が存在するか否かを判定する。存在する場合、処理がステップＳ１３に移される。存在しない場合、処理が完了する。
【００５０】
［ステップＳ１３］棒金収納庫制御部１１２は、演算部１１５による要補充硬貨有りの判定結果を検知すると、棒金ドロア２１を開放する。
［ステップＳ１４］レジ担当者は、棒金ドロア２１に収納された棒金のうち、補充対象金種の棒金の包装を解いて硬貨投入口１７に投入して硬貨の補充を行う。
【００５１】
［ステップＳ１５］レジ担当者は、棒金ドロア２１を棒金収納庫２０に収納する。貨幣処理装置１０は、棒金収納庫２０を閉塞する。
なお、レジ担当者は、操作・表示部１２０に出力される収納貨幣の数量状態を確認して補充が必要であるか否かを判別して、補充開始操作を行うことができる。操作・表示部１２０に表示される収納貨幣の数量状態は、例えば、演算部１１５が所定の周期でステップＳ１２と同様の判定処理を行い、その結果を図４に示したような表示方法で操作・表示部１２０が出力する。そして、レジ担当者は、その出力内容によって、補充の要否を認識する。
【００５２】
このように、貨幣処理装置１０は、釣銭硬貨の補充の要否を判定し、補充が必要な場合に補充開始操作を受け付けると、棒金ドロア２１を開放する。このようにすると、釣銭硬貨の補充に際して、上位のＰＯＳレジスタの制御が不要となり、簡易な操作のみで自装置に保管された棒金から補充することができるため、利便性が向上し、迅速な釣銭補充動作が可能となる。
【００５３】
（在高計算処理）
次に、貨幣処理装置１０における、同装置内に収納された貨幣の機械計数による在高計算処理について説明する。
【００５４】
図８は、在高計算の際の処理の流れを示すフローチャートである。以下、図８に示す処理をステップ番号に沿って説明する。
［ステップＳ２１］レジ担当者は、操作・表示部１２０における在高計算の開始操作を行う。レジ担当者は、例えば、貨幣処理装置１０の操作表示パネル１４の操作ボタン群１４ｄにおける置数ボタン「９」に対応する在高ボタンを押下することで上記開始操作を行う。演算部１１５は、この在高計算の開始操作を受け付ける。
【００５５】
［ステップＳ２２］入出金計数処理部１１１は、紙幣部１１および硬貨部１２に収納された貨幣を識別し、メモリ部１１４に記憶された貨幣枚数管理テーブル１１４ａのフラグの項目に確定または不確定を設定する。また、棒金収納庫制御部１１２は、棒金ドロア２１に収納された棒金硬貨Ｍの金種および数量を棒金識別センサ２４の検出結果に基づいて判定し、各金種を識別する。更に、棒金収納庫制御部１１２は、計数結果に基づいてメモリ部１１４に記憶された貨幣枚数管理テーブル１１４ａのフラグの項目に確定または不確定を設定する。
【００５６】
［ステップＳ２３］演算部１１５は、メモリ部１１４の貨幣枚数管理テーブル１１４ａおよび論理部１１６に格納された比較論理に基づいて、金種が不確定となっている棒金が存在するか否かを判定する。存在する場合、処理がステップＳ２４に移される。存在しない場合、処理がステップＳ２７に移される。なお、金種が不確定と判定される場合には、例えば、各棒金収納スリット２２に予め指定された金種の棒金が収納されていない場合、そもそも棒金収納スリット２２に有るべき棒金が未収納である場合、等が有り得る。
【００５７】
［ステップＳ２４］棒金収納庫制御部１１２は、演算部１１５による金種が不確定の棒金有りの判定結果を検知すると、棒金ドロア２１を開放し、レジ担当者に対して各棒金の確認を促す。
【００５８】
［ステップＳ２５］レジ担当者は、各棒金の収納箇所や不足棒金等の確認を行い、不備を特定して棒金収納スリット２２に対する棒金の配置の修正や不足棒金の補充を行う。
［ステップＳ２６］レジ担当者は、棒金ドロア２１を棒金収納庫２０に収納する。貨幣処理装置１０は、棒金収納庫２０を閉塞する。
【００５９】
［ステップＳ２７］棒金収納庫制御部１１２は、全棒金の金種を判定すると、貨幣枚数管理テーブル１１４ａのフラグの項目に確定を設定する。そして、入出金計数処理部１１１および棒金収納庫制御部１１２は、全金種が確定したことを検出して各金種の収納枚数を計数する。
【００６０】
このように、貨幣処理装置１０は、棒金収納庫２０に棒金識別センサ２４を備えており、棒金の金種が判別できない場合には、棒金ドロア２１を開放してレジ担当者に確認を促す。これにより、レジ担当者は、不足棒金の補充や棒金の配置等の動作を的確に行うことができ、利便性が向上する。
【００６１】
なお、ステップＳ２５において、棒金の確認が適正に実施されなかった場合、すなわち、棒金ドロア２１に依然として金種が不確定の棒金が存在する場合には、ステップＳ２６の後に強制的に棒金ドロア２１を開放して確認を促すようにしてもよい。このようにすると、棒金ドロア２１が閉塞、すなわち、各棒金の金種が確定しないと在高計算処理が行われないため、収納貨幣の計数を適正に行うことができる。
【００６２】
ただし、不確定の棒金が存在する旨を上位のＰＯＳレジスタに通知するような場合には、ＰＯＳレジスタから確認を促すことも可能であるため、棒金ドロア２１を強制開放することなく閉塞状態にしてもよい。
【００６３】
（金銭回収処理）
次に、貨幣処理装置１０における、同装置内に収納された余剰金の回収処理について説明する。余剰金とは、貨幣処理装置１０に収納された貨幣のうちから、使用開始時の在高からレジ取引を通じて増加した金額を示す。このような回収処理は、貨幣処理装置１０の１日の運用の終了時点等で実施される。レジ担当者は、図１における回収庫１９を用いて回収動作を行うが、この作業に際して、棒金ドロア２１のバラ貨幣収納部２３に収納された機械計数外の貨幣（棒金以外の貨幣）に関して計数または回収を行い、ＰＯＳレジスタに登録する必要もある。以下では、本動作に関する貨幣処理装置１０の処理を具体的に説明する。
【００６４】
図９は、回収動作の際の処理の流れを示すフローチャートである。以下、図９に示す処理をステップ番号に沿って説明する。
［ステップＳ３１］レジ担当者は、操作・表示部１２０における回収動作の開始操作を行う。レジ担当者は、例えば、貨幣処理装置１０の操作表示パネル１４の操作ボタン群１４ｄにおける置数ボタン「５」に対応する回収ボタンを押下することで上記開始操作を行う。演算部１１５は、この回収動作の開始操作を受け付ける。
【００６５】
［ステップＳ３２］演算部１１５は、メモリ部１１４を参照して、棒金ドロア２１の開放が回収動作の開始操作に対して、上位のＰＯＳレジスタから許可されているか否かを判定する。許可されている場合、処理がステップＳ３３に移される。許可されていない場合、処理が終了する。
【００６６】
［ステップＳ３３］棒金収納庫制御部１１２は、演算部１１５による開閉可の判定結果を検知すると、棒金ドロア２１を開放し、レジ担当者に対して機械計数外貨幣の計数または回収動作を促す。
【００６７】
［ステップＳ３４］レジ担当者は、回収庫１９を用いた回収動作を行うと共に、棒金ドロア２１のバラ貨幣収納部２３に収納された硬貨や紙幣等の計数または回収動作を行う。
［ステップＳ３５］レジ担当者は、棒金ドロア２１を棒金収納庫２０に収納する。貨幣処理装置１０は、棒金収納庫２０を閉塞する。
【００６８】
このように、貨幣処理装置１０は、余剰金の回収動作の際に、上位のＰＯＳレジスタから棒金ドロア２１の開放が予め許可とされていれば、ＰＯＳレジスタでの操作を不要として、貨幣処理装置１０の操作のみで棒金ドロア２１内の貨幣の回収動作も行うことができる。これにより、レジ担当者は、簡易な操作で機械計数外貨幣の回収を開始することができるので、利便性が向上する。
【００６９】
なお、上記ステップＳ３２の判定処理を省略することもでき、上記に示した回収動作を行う等、特定の条件下において、上位のＰＯＳレジスタからの開閉可否の許可を不要として棒金ドロア２１の開放を可能とすることもできる。
【００７０】
更に、図９の説明では、余剰金の回収動作を例に挙げて説明したが、例えば、硬貨または紙幣を個別に精密計算し直す精算動作に連動して、棒金ドロア２１を開放するようにしてもよい。
【００７１】
以上、説明したように、貨幣処理装置１０では、釣銭硬貨の不足を的確に判定して、簡易な操作で迅速に釣銭の補充を行うことができる。
また、在高計算時においても、棒金の金種の確定を行って在高計算を行うため、適正な計算結果を得ることができる。更に、不足棒金を的確に把握して補充することも可能であり、運用における利便性も向上する。
【００７２】
また、他の金銭処理動作時、例えば、ＰＯＳレジスタにより、余剰金の回収動作時には貨幣処理装置１０における操作のみで棒金ドロア２１の開放を可能とする旨の設定を行うこともでき、特定の利用方法に応じて更に利便性の向上を図ることも可能である。
【００７３】
以上、本発明の貨幣処理装置を図示の実施の形態に基づいて説明したが、これらに限定されるものではなく、各部の構成は同様の機能を有する任意の構成のものに置換することができる。また、他の任意の構成物や工程が付加されてもよい。更に、本発明は前述した実施の形態のうちの任意の２以上の構成（特徴）を組み合わせたものであってもよい。
【図面の簡単な説明】
【００７４】
【図１】貨幣処理装置の外観を示す図であって、（ａ）は上面図、（ｂ）は正面図である。
【図２】棒金収納庫を示す斜視図であって、（ａ）は、棒金収納庫の外観を示し、（ｂ）は棒金収納庫に格納された棒金ドロアを示している。
【図３】貨幣処理装置に設けられた操作表示パネルの構成の具体例を示す図である。
【図４】ＬＥＤ表示器の状態表示方法の具体例を示す図である。
【図５】貨幣処理装置の制御機構を示すブロック図である。
【図６】貨幣枚数管理テーブルの構造例を示す図である。
【図７】釣銭補充の際の処理の流れを示すフローチャートである。
【図８】在高計算の際の処理の流れを示すフローチャートである。
【図９】回収動作の際の処理の流れを示すフローチャートである。
【符号の説明】
【００７５】
１０  貨幣処理装置
１１  紙幣部
１２  硬貨部
１３  受取部
１４  操作表示パネル
１５  紙幣投入口
１６  紙幣出金口
１７  硬貨投入口
１８  硬貨出金口
１９  回収庫
２０  棒金収納庫（棒金ストッカ）
２１  棒金ドロア
２２  棒金収納スリット
２３  バラ貨幣収納部
２４  棒金識別センサ
１１０  制御部
１１１  入出金計数処理部
１１２  棒金収納庫制御部
１１３  機構制御部
１１４  メモリ部
１１５  演算部
１１６  論理部
１２０  操作・表示部
１３０  上位通信部
Ｍ  棒金硬貨（包装硬貨）
【図１】
0005163267.tif 000002
【図２】
0005163267.tif 000003
【図３】
0005163267.tif 000004
【図４】
0005163267.tif 000005
【図５】
0005163267.tif 000006
【図６】
0005163267.tif 000007
【図７】
0005163267.tif 000008
【図８】
0005163267.tif 000009
【図９】
0005163267.tif 000010